(57)【要約】      （修正有）【課題】セキュリティレベルの低下を招くことなく、外部からアクセスするための手間を軽減ことができる画像形成装置を提供する。【解決手段】画像形成システム１において、画像形成装置１００が接続されているＬＡＮ１０１は、インターネット１２０側からのＩＰアクセスがファイアウォール１０２によって制限されている。携帯端末装置１１０のユーザーは、携帯端末装置１１０とのＩＰアクセスを求めるファクシミリを電話網１３０を経由して画像形成装置１００に送信する。画像形成装置１００は、当該ファクシミリの送信元が予め登録されている携帯端末装置１１０であることを確認できた場合には、携帯端末装置１１０が画像形成装置１００にＩＰアクセスするための接続情報をファイアウォール１０２から取得して、携帯端末装置１１０にファクシミリ送信する。携帯端末装置１１０は、ＩＰアクセスによって画像形成装置１００にジョブを送信する。【選択図】図１
2020005050.tif 000002
【特許請求の範囲】
【請求項１】
アクセス制限装置によって外部のネットワークからのＩＰアクセスが制限されている内部のネットワークに接続された画像形成装置であって、
前記外部のネットワークに接続された外部装置からファクシミリデータを受信するファクシミリデータ受信手段と、
前記ファクシミリデータが、前記画像形成装置と前記外部装置との前記アクセス制限装置を経由したＩＰ接続を要求する接続要求コマンドを含んでいる場合に、当該ＩＰ接続を許可するか否かを判定する判定手段と、
前記判定手段の判定が肯定的である場合に、前記ＩＰ接続を確立する接続手段と、
前記ＩＰ接続を経由して、前記外部装置から処理要求を受信して、当該処理要求に従って処理を実行する処理手段と、を備える
ことを特徴とする画像形成装置。
【請求項２】
前記接続要求コマンドは、前記外部装置のＩＰアドレスを含み、
前記接続手段は、前記外部装置に対し、前記アクセス制限装置を経由してＩＰ接続を要求することによって、前記ＩＰ接続を確立する
ことを特徴とする請求項１に記載の画像形成装置。
【請求項３】
前記接続手段は、
前記外部装置からのアクセスの制限を解除するためのアクセス制限解除情報を、前記アクセス制限装置から取得する取得手段と、
前記アクセス制限解除情報を前記外部装置に通知する通知手段と、を備える
ことを特徴とする請求項１に記載の画像形成装置。
【請求項４】
前記アクセス制限解除情報は、ユーザー名とパスワードとを含む
ことを特徴とする請求項３に記載の画像形成装置。
【請求項５】
前記通知手段は、
前記ファクシミリデータの送信元へ、前記アクセス制限解除情報をファクシミリ送信することによって前記通知を行う
ことを特徴とする請求項３または４に記載の画像形成装置。
【請求項６】
前記判定手段の判定が肯定的である場合に、前記接続手段が前記外部装置とのＩＰ接続を確立するのに先立って、前記ファクシミリデータの送信元への音声通話による、音声認証を行う音声認証手段と、
前記音声認証が失敗した場合には、前記接続手段によるＩＰ接続の確立を禁止する禁止手段と、を備える
ことを特徴とする請求項１から５の何れかに記載の画像形成装置。
【請求項７】
前記判定手段の判定が肯定的である場合に、前記接続手段が前記外部装置とのＩＰ接続を確立するのに先立って、前記ファクシミリデータに含まれている音声情報を用いて、音声認証を行う音声認証手段と、
前記音声認証が失敗した場合には、前記接続手段によるＩＰ接続の確立を禁止する禁止手段と、を備える
ことを特徴とする請求項１から５の何れかに記載の画像形成装置。
【請求項８】
ファクシミリ番号を記憶するファクシミリ番号記憶手段と、
前記ファクシミリデータの送信元のファクシミリ番号が、前記ファクシミリ番号記憶手段が記憶しているファクシミリ番号に該当するか否かを判定する第２の判定手段と、
前記第２の判定手段の判定が否定的である場合に、前記接続手段によるＩＰ接続の確立を禁止する第２の禁止手段と、を備える
ことを特徴とする請求項１から７の何れかに記載の画像形成装置。
【請求項９】
対照データを記憶する記憶手段と、
前記接続要求コマンドに含まれている照合データが、前記対照データに一致するか否かを判定する第３の判定手段と、
前記第３の判定手段の判定が否定的である場合に、前記接続手段によるＩＰ接続の確立を禁止する第３の禁止手段と、を備える
ことを特徴とする請求項１から８の何れかに記載の画像形成装置。
【請求項１０】
前記ファクシミリデータの送信元へ、トライアル文字列をファクシミリ送信するトライアル文字列送信手段と、
前記トライアル文字列の送信先から、トライアル応答を受信するトライアル応答受信手段と、
前記トライアル応答が、前記トライアル文字列を所定の変換方法によって変換した変換結果に一致するか否かを判定する第４の判定手段と、
前記第４の判定手段の判定が否定的である場合に、前記接続手段によるＩＰ接続の確立を禁止する第４の禁止手段と、を備える
ことを特徴とする請求項１から９の何れかに記載の画像形成装置。
【請求項１１】
携帯端末装置と、
アクセス制限装置によって外部のネットワークからのＩＰアクセスが制限されている内部のネットワークに接続された画像形成装置と、を備え、
前記携帯端末装置は、
インターネットを経由したＩＰ接続を要求する接続要求コマンドを前記画像形成装置にファクシミリ送信するコマンド送信手段と、
前記ＩＰ接続を経由して前記画像形成装置に処理要求を送信する処理要求送信手段と、を備え、
前記画像形成装置は、
前記携帯端末装置からファクシミリデータを受信するファクシミリデータ受信手段と、
前記ファクシミリデータが、前記画像形成装置と前記携帯端末装置との前記アクセス制限装置を経由したＩＰ接続を要求する接続要求コマンドを含んでいる場合に、当該ＩＰ接続を許可するか否かを判定する判定手段と、
前記ＩＰ接続を経由して、前記外部装置から処理要求を受信して、当該処理要求に従って処理を実行する処理手段と、
前記判定手段の判定が肯定的である場合に、前記ＩＰ接続を確立する接続手段と、を備える
ことを特徴とする画像形成システム。
【発明の詳細な説明】
【技術分野】
【０００１】
本発明は、画像形成装置および画像形成システムに関し、特に、ネットワークセキュリティを担保しながら画像形成装置を遠隔利用するための技術に関する。
【背景技術】
【０００２】
近年、画像形成装置をネットワークに接続して、複数のユーザーが共用する利用形態が一般的になっている。画像形成装置を共用する場合、無条件に印刷物を出力すると、他のユーザーに印刷内容を見られてしまう可能性があり、印刷内容を秘匿したい場合には秘密が漏洩してしまう恐れがある。
【０００３】
このような不都合を回避するためには、画像形成装置を直接操作しているユーザーが印刷物を出力させようとしたユーザーであるか否かを確認する必要がある。
【０００４】
そこで、近年、携帯電話機がめざましく普及している状況に着目して、画像形成装置を直接操作しているユーザーに電話番号を入力させ、当該電話番号に音声メッセージを送出し、当該音声メッセージに適合した応答が返信されるか否かによって、ユーザーを認証する技術が提案されている（例えば、特許文献１を参照）。
【０００５】
このようにすれば、画像形成装置を直接操作しているユーザーを認証して、当該ユーザー以外のユーザーが出力させようとしている印刷物が当該ユーザーに見られてしまうのを防止することができる。
【先行技術文献】
【特許文献】
【０００６】
【特許文献１】特開２００８−３３０８５６号公報
【発明の概要】
【発明が解決しようとする課題】
【０００７】
しかしながら、画像形成装置を直接操作しているユーザー以外のユーザーについても認証が必要になる場合がある。
【０００８】
例えば、オフィス向けの画像形成装置は構内ＬＡＮ（Local Area Network）に接続して利用されることが多く、構内ＬＡＮは外部からの不正アクセスを防止するために、ファイアウォールを用いて外部からのアクセスを制限するのが一般的である。このため、ユーザーが外部から携帯端末装置などの装置を用いて画像形成装置を利用するためには、あらかじめファイアウォールや携帯端末装置などの装置に設定をしておく必要がある。
【０００９】
このような設定を外部に持ち出され得るすべての装置について行うのは、外部からの不正アクセスを招く恐れがあるため、セキュリティ保護の観点から好ましくない。一方、装置を外部へ持ち出すたびに、画像形成装置の利用の可否を検討して、事前設定を行うのでは手間が掛かり過ぎて不便である。
【００１０】
本発明は、上述のような問題に鑑みて為されたものであって、セキュリティレベルの低下を招くことなく、外部からアクセスするための手間を軽減ことができる画像形成装置および画像形成システムを提供することを目的とする。
【課題を解決するための手段】
【００１１】
上記目的を達成するため、本発明に係る画像形成装置は、アクセス制限装置によって外部のネットワークからのＩＰ（Internet Protocol）アクセスが制限されている内部のネットワークに接続された画像形成装置であって、前記外部のネットワークに接続された外部装置からファクシミリデータを受信するファクシミリデータ受信手段と、前記ファクシミリデータが、前記画像形成装置と前記外部装置との前記アクセス制限装置を経由したＩＰ接続を要求する接続要求コマンドを含んでいる場合に、当該ＩＰ接続を許可するか否かを判定する判定手段と、前記判定手段の判定が肯定的である場合に、前記ＩＰ接続を確立する接続手段と、前記ＩＰ接続を経由して、前記外部装置から処理要求を受信して、当該処理要求に従って処理を実行する処理手段と、を備えることを特徴とする。
【００１２】
この場合において、前記接続要求コマンドは、前記外部装置のＩＰアドレスを含み、前記接続手段は、前記外部装置に対し、前記アクセス制限装置を経由してＩＰ接続を要求することによって、前記ＩＰ接続を確立としてもよい。
【００１３】
また、前記接続手段は、前記外部装置からのアクセスの制限を解除するためのアクセス制限解除情報を、前記アクセス制限装置から取得する取得手段と、前記アクセス制限解除情報を前記外部装置に通知する通知手段と、を備えてもよい。
【００１４】
また、前記アクセス制限解除情報は、ユーザー名とパスワードとを含んでもよい。
【００１５】
また、前記通知手段は、前記ファクシミリデータの送信元へ、前記アクセス制限解除情報をファクシミリ送信することによって前記通知を行ってもよい。
【００１６】
また、前記判定手段の判定が肯定的である場合に、前記接続手段が前記外部装置とのＩＰ接続を確立するのに先立って、前記ファクシミリデータの送信元への音声通話による、音声認証を行う音声認証手段と、前記音声認証が失敗した場合には、前記接続手段によるＩＰ接続の確立を禁止する禁止手段と、を備えてもよい。
【００１７】
また、前記判定手段の判定が肯定的である場合に、前記接続手段が前記外部装置とのＩＰ接続を確立するのに先立って、前記ファクシミリデータに含まれている音声情報を用いて、音声認証を行う音声認証手段と、前記音声認証が失敗した場合には、前記接続手段によるＩＰ接続の確立を禁止する禁止手段と、を備えてもよい。
【００１８】
また、ファクシミリ番号を記憶するファクシミリ番号記憶手段と、前記ファクシミリデータの送信元のファクシミリ番号が、前記ファクシミリ番号記憶手段が記憶しているファクシミリ番号に該当するか否かを判定する第２の判定手段と、前記第２の判定手段の判定が否定的である場合に、前記接続手段によるＩＰ接続の確立を禁止する第２の禁止手段と、を備えてもよい。
【００１９】
また、対照データを記憶する記憶手段と、前記接続要求コマンドに含まれている照合データが、前記対照データに一致するか否かを判定する第３の判定手段と、前記第３の判定手段の判定が否定的である場合に、前記接続手段によるＩＰ接続の確立を禁止する第３の禁止手段と、を備えてもよい。
【００２０】
また、前記ファクシミリデータの送信元へ、トライアル文字列をファクシミリ送信するトライアル文字列送信手段と、前記トライアル文字列の送信先から、トライアル応答を受信するトライアル応答受信手段と、前記トライアル応答が、前記トライアル文字列を所定の変換方法によって変換した変換結果に一致するか否かを判定する第４の判定手段と、前記第４の判定手段の判定が否定的である場合に、前記接続手段によるＩＰ接続の確立を禁止する第４の禁止手段と、を備えてもよい。
【００２１】
また、本発明に係る画像形成システムは、携帯端末装置と、アクセス制限装置によって外部のネットワークからのＩＰアクセスが制限されている内部のネットワークに接続された画像形成装置と、を備え、前記携帯端末装置は、インターネットを経由したＩＰ接続を要求する接続要求コマンドを前記画像形成装置にファクシミリ送信するコマンド送信手段と、前記ＩＰ接続を経由して前記画像形成装置に処理要求を送信する処理要求送信手段と、を備え、前記画像形成装置は、前記携帯端末装置からファクシミリデータを受信するファクシミリデータ受信手段と、前記ファクシミリデータが、前記画像形成装置と前記携帯端末装置との前記アクセス制限装置を経由したＩＰ接続を要求する接続要求コマンドを含んでいる場合に、当該ＩＰ接続を許可するか否かを判定する判定手段と、前記ＩＰ接続を経由して、前記外部装置から処理要求を受信して、当該処理要求に従って処理を実行する処理手段と、前記判定手段の判定が肯定的である場合に、前記ＩＰ接続を確立する接続手段と、を備えることを特徴とする。
【発明の効果】
【００２２】
このようにすれば、ファクシミリ通信を用いるので、アクセス制限装置による制限を受けることなく、接続要求コマンドを受信することができる。また、内部のネットワークに接続されている画像形成装置が主導するので、アクセス制限装置による制限を受けることなく、外部装置とのＩＰ接続を確立することができる。従って、アクセス制御装置によるアクセス制限を緩和することなく、外部装置から画像形成装置に処理要求を行うことができる。
【図面の簡単な説明】
【００２３】
【図１】本発明の第１の実施の形態に係る画像形成システム１の構成を示す図である。
【図２】本発明の第１の実施の形態に係る画像形成装置１００の外観斜視図である。
【図３】本発明の第１の実施の形態に係る制御部２００の主要なハードウェア構成を示すブロック図である。
【図４】本発明の第１の実施の形態に係る制御部２００の主要な機能構成を示すブロック図である。
【図５】本発明の第１の実施の形態に係る端末情報テーブル５００であって、個々の携帯端末装置１１０に関する情報を記憶する端末情報テーブル５００のデータ構造を説明する表である。
【図６】本発明の第１の実施の形態に係る制御部２００の動作を表すフローチャートである。
【図７】本発明の第１の実施の形態に係る携帯端末装置１１０の主要なハードウェア構成を示すブロック図である。
【図８】本発明の第１の実施の形態に係る携帯端末装置１１０の主要な機能構成を示すブロック図である。
【図９】携帯端末装置１１０の動作を表すフローチャートである。
【図１０】本発明の第１の実施の形態に係る画像形成装置１００と携帯端末装置１１０との連携動作を表すシーケンス図である。
【図１１】本発明の第２の実施の形態に係る制御部２００の主要な機能構成を示すブロック図である。
【図１２】本発明の第２の実施の形態に係る制御部２００の動作を表すフローチャートである。
【図１３】本発明の第２の実施の形態に係る画像形成装置１００と携帯端末装置１１０との連携動作を表すシーケンス図である。
【図１４】本発明の変形例に係る画像形成システム１４の構成を示す図である。
【図１５】Ｇ３ファクシミリのプロトコル動作の各フェーズを示す図である。
【図１６】本発明の変形例に係る携帯端末装置１１０のファクシミリ番号を用いてコマンドＦＡＸを識別する場合におけるファクシミリを送受信する手順を示すシーケンス図である。
【図１７】Ｇ３ファクシミリで規定された制御信号の標準的なフレーム構成を説明するとともに、ファクシミリ制御フレームの設定値を例示する図である。
【図１８】Ｇ３ファクシミリで規定されたＮＳＦ信号を利用してコマンドＦＡＸと通常のＦＡＸとを識別する場合におけるファクシミリを送受信する手順を示すシーケンス図である。
【図１９】（ａ）はＮＳＦ信号を利用してコマンドＦＡＸと通常のＦＡＸとを識別する場合におけるファクシミリ情報フィールドのデータ構造を例示する表であり、（ｂ）はファクシミリ情報フィールドの第５オクテットのデータ構造を例示する図である。
【図２０】本発明の変形例に係る制御部２００の主要な機能構成を示すブロック図である。
【図２１】本発明の変形例に係る端末情報テーブル２１００のデータ構造を説明する表である。
【図２２】本発明の変形例に係る制御部２００の動作を表すフローチャートである。
【図２３】本発明の変形例に係る画像形成装置１００と携帯端末装置１１０との連携動作を表すシーケンス図である。
【図２４】本発明の変形例に係る制御部２００の主要な機能構成を示すブロック図である。
【図２５】本発明の変形例に係るコマンドＦＡＸを用いて送信した音声データを用いて音声認証を行う場合におけるファクシミリを送受信する手順を説明するシーケンス図である。
【図２６】本発明の変形例に係る制御部２００の動作を表すフローチャートである。
【図２７】本発明の変形例に係る画像形成装置１００と携帯端末装置１１０との連携動作を表すシーケンス図である。
【図２８】本発明の変形例に係る制御部２００の主要な機能構成を示すブロック図である。
【図２９】本発明の変形例に係る端末情報テーブル２９００のデータ構造を説明する表である。
【図３０】本発明の変形例に係る制御部２００の動作を表すフローチャートである。
【図３１】本発明の変形例に係る携帯端末装置１１０の主要な機能構成を示すブロック図である。
【図３２】本発明の変形例に係るトライアル認証を行う場合における画像形成装置１００と携帯端末装置１１０とによる文字列の処理過程を説明する図である。
【図３３】本発明の変形例に係る携帯端末装置１１０の動作を表すフローチャートである。
【図３４】本発明の変形例に係る画像形成装置１００と携帯端末装置１１０との連携動作を表すシーケンス図である。
【図３５】本発明の変形例に係るトライアル認証を行う場合における画像形成装置１００と携帯端末装置１１０とによる文字列の処理過程を説明する図である。
【図３６】本発明の変形例に係る画像形成システム１の構成を示す図である。
【発明を実施するための形態】
【００２４】
以下、本発明に係る画像形成装置および画像形成システムの実施の形態について、図面を参照しながら説明する。
［１］第１の実施の形態
（１−１）システム構成
まず、本実施の形態に係る画像形成システムの構成について説明する。
【００２５】
図１に示すように、本実施の形態に係る画像形成システム１は、画像形成装置１００および携帯端末装置１１０を備えている。
【００２６】
画像形成装置１００はいわゆるカラー複合機（MFP: Multi-Function Peripheral）であって、プリンター装置、複写装置およびファクシミリ装置として動作して、カラー画像を形成することができる。画像形成装置１００は、ＬＡＮ（Local Area Network）１０１に接続されており、ＬＡＮ１０１はファイアウォール１０２を介してインターネット１２０に接続されている。
【００２７】
ファイアウォール１０２は、インターネット１２０からＬＡＮ１０１へのアクセスを制限することによって、ＬＡＮ１０１に接続されている画像形成装置１００やＰＣ（Personal Computer）１０４等の装置（以下、「内部装置」という。）への不正アクセスを防止し、セキュリティを保護する。ファイアウォール１０２は、内部装置からインターネット１２０へのアクセスについては制限しない。
【００２８】
また、ファイアウォール１０２は、インターネット１２０からＬＡＮ１０１へのアクセスを許可することができる。インターネット１２０に接続されている装置（以下、「外部装置」という。）は、インターネット１２０からＬＡＮ１０１へのアクセスをファイアウォール１０２に許可された場合、ファイアウォール１０２が発行した接続情報（例えば、接続先の内部装置のＩＰアドレス、ポート番号、ユーザー名およびパスワード）をファイアウォール１０２へ送信することによって、当該アクセスを開始することができる。
【００２９】
内部装置は、外部装置を識別するための情報（例えば、外部装置のＩＰアドレス）や当該外部装置と接続する内部装置を識別するための情報（例えば、内部装置ＩＰのアドレスやポート番号）を指定して、ファイアウォール１０２に接続情報の発行を要求することができる。
【００３０】
画像形成装置１００は、ＬＡＮ１０１に接続されたＰＣ１０４等から印刷ジョブを受け付けて画像形成処理を実行する。
【００３１】
画像形成装置１００は、構内交換機（PBX: Private Branch Exchange）１０３を介して電話網１３０に接続されている。これによって、画像形成装置１００は、Ｇ３ファクシミリのプロトコルに従って、ファクシミリデータの送受信を行う。構内交換機１０３には、画像形成装置１００の他、電話機も接続される。
【００３２】
携帯端末装置１１０は、スマートフォンやタブレットコンピューター等であって、インターネット１２０に接続された無線ＬＡＮ親機１２１と無線通信することによって、インターネット１２０に接続された装置とＩＰ通信することができる。また、携帯端末装置１１０は、電話網１３０に接続された無線基地局１３１と無線通信することによって、音声通話ならびにＧ３ファクシミリのプロトコルに従ったファクシミリの送受信を行う。
（１−２）画像形成装置１００の構成
次に、画像形成装置１００の構成について説明する。
【００３３】
画像形成装置１００は、図2に示すように、プリンター部２０１、給紙部２０２およびスキャナー部２０３を備えており、プリンター部２０１には制御部２００が内蔵されている。更に、プリンター部２０１には、操作パネル２０４が装備されており、画像形成装置１００のユーザーが操作パネル２０４を操作して、原稿の複写を指示すると、スキャナー部２０３が原稿を読み取って、画像データを生成する。
【００３４】
プリンター部２０１は、スキャナー部２０３が生成した画像データに基づいてトナー像を生成する。これと並行して、給紙部２０２が記録シートを供給すると、プリンター部２０１はトナー像を記録シートに転写し、熱定着して、排紙トレイ２０５上に排出する。プリンター部２０１は、トナー像を記録シートに熱定着するために定着装置を用いる。定着装置は、熱定着に先立って、ウォームアップ処理によって定着部材を昇温させる必要がある。
【００３５】
画像形成装置１００が画像形成ジョブを受け付けてから、当該画像形成ジョブに係る画像を形成された記録シートのうち、１枚目の記録シートが排紙トレイ２０５上に排出されるまでの時間をＦＣＯＴ（First Copy Out Time）という。ＦＣＯＴは、主として、定着装置のウォームアップ処理に要する時間の長短に左右される。
【００３６】
制御部２００は、画像形成装置１００の動作を制御する。特に、制御部２００は、ＬＡＮ１０１を経由してＩＰ通信を行ったり、ＩＰ構内交換機１０３を経由してファクシミリデータを送受信したりする。
【００３７】
画像形成装置１００は、ＬＡＮ１０１を経由したＩＰ通信によって他の装置から画像形成ジョブを受け付けて画像形成処理を実行したり、他の装置から受信した画像データ等の電子ファイルを保存したり、また、保存してある電子ファイルを用いて画像形成処理を実行したりすることができる。
【００３８】
更に、画像形成装置１００は、スキャナー部２０３が生成した画像データ、ＬＡＮ１０１を経由して他の装置から受信した画像データおよび保存してある画像データを、電話回線１３０を経由して他のファクシミリ装置へファクシミリ送信することができる。また、画像形成装置１００は、他のファクシミリ装置からファクシミリデータを受信して印刷出力することができる。
（１−３）制御部２００の構成と動作
次に、制御部２００のハードウェア構成、機能構成および動作について説明する。
【００３９】
図３に示すように、制御部２００は、ＣＰＵ（Central Processing Unit）３０１、ＲＯＭ（Read Only Memory）３０２およびＲＡＭ（Random Access Memory）３０３等を備えており、画像形成装置１００に電源が投入されると、ＣＰＵ３０１はＲＯＭ３０２からブートプログラムを読み出して起動し、ＲＡＭ３０３を作業用記憶領域として、ＨＤＤ（Hard Disk Drive）３０４から読み出したＯＳ（Operating System）や制御プログラムを実行する。
【００４０】
ＣＰＵ３０１は、ＮＩＣ（Network Interface Card）３０５を用いて、ＬＡＮ１０１を経由したＩＰ通信を行う。また、ＣＰＵ３０１は、回線インターフェイス３０６を用いて、音声通話やファクシミリの送受信を行う。更に、ＣＰＵ３０１は、プリンター部２０１、給紙部２０２およびスキャナー部２０３の動作を監視したり、制御したりする。
【００４１】
図４は、制御部２００の主要な機能構成を表すブロック図である。図４に示すように、制御部２００は、コマンドＦＡＸ受信部４０１、端末情報照合部４０２および接続情報要求部４０３などを備えている。コマンドＦＡＸ受信部４０１は、携帯端末装置１１０からコマンドＦＡＸと呼ばれるファクシミリデータを受信する。コマンドＦＡＸには、コマンドＦＡＸをファクシミリ送信した携帯端末装置１１０の端末情報として、ＩＰアドレスとファクシミリ番号が含まれている。
【００４２】
端末情報照合部４０２は、コマンドＦＡＸに含まれている端末情報のうちのファクシミリ番号が、ＨＤＤ３０４に予め登録されているファクシミリ番号に該当するか否か照合する。ＨＤＤ３０４には端末情報テーブル５００が記憶されている。図５に示すように、端末情報テーブル５００には携帯端末装置１１０ごとに割り振られた端末管理番号、当該携帯端末装置１１０のＩＰアドレス、ファクシミリ番号および当該携帯端末装置１１０のユーザーを識別するためのユーザー情報の各欄が設けられている。ユーザー情報は、例えば、当該ユーザーの氏名や所属部署、ＩＤ情報などである。
【００４３】
端末情報照合部４０２は、端末情報テーブル５００に記憶されているファクシミリ番号と、コマンドＦＡＸの端末情報に含まれているファクシミリ番号とを照合して、端末情報テーブル５００に記憶されているファクシミリ番号の中に、コマンドＦＡＸの端末情報に含まれているファクシミリ番号に一致するファクシミリ番号があるか否かを判定する。
【００４４】
接続情報要求部４０３は、ファイアウォール１０２に、コマンドＦＡＸの端末情報に含まれているＩＰアドレス、画像形成装置１００のＩＰアドレスおよびポート番号を送信して、携帯端末装置１１０が画像形成装置１００にＩＰ接続するための接続情報を要求し、ファイアウォール１０２が返信した接続情報を取得する。接続情報には、ファイアウォール１０２を経由して画像形成装置１００とＩＰ通信を行うためのログイン名とパスワードとが含まれている。
【００４５】
リプライＦＡＸ送信部４０４は、接続情報要求部４０３が取得した接続情報と画像形成装置１００のＩＰアドレスおよびポート番号を含むリプライＦＡＸを作成し、当該リプライＦＡＸを携帯端末装置１１０へファクシミリ送信する。
【００４６】
ジョブ受付部４０５は、携帯端末装置１１０からＩＰ通信によってジョブを受け付ける。ここで、ジョブ受付部４０５が受け付けるジョブは、画像形成ジョブや、ＨＤＤ３０４から読み出した電子ファイルを携帯端末装置１１０へＩＰ送信するジョブなどである。
【００４７】
ジョブ実行部４０６は、ジョブ受付部４０５が受け付けたジョブを実行する。ＩＰ通信は、ファクシミリよりも帯域幅が広いので、画像形成すべき画像ファイルや、ＨＤＤ３０４が読み出した電子ファイルを高速で伝送することができる。また、高い解像度で印刷したり、両面印刷や２ｉｎ１、カラー印刷など様々な機能を利用したりすることができる。
【００４８】
図６に示すように、コマンドＦＡＸ受信部４０１は、ファクシミリを受信すると（Ｓ６０１：ＹＥＳ）、当該ファクシミリデータがコマンドＦＡＸである場合には（Ｓ６０２：ＹＥＳ）、端末情報照合部４０２が端末情報を取得する（Ｓ６０３）。
【００４９】
端末情報テーブル５００に記憶されているファクシミリ番号の中に、端末情報に含まれるファクシミリ番号に一致するファクシミリ番号がある場合には（Ｓ６０４：ＹＥＳ）、端末情報に含まれるＩＰアドレス、画像形成装置１００のＩＰアドレスおよびポート番号を接続情報要求部４０３がファイアウォール１０２に送信して、携帯端末装置１１０が画像形成装置１００にＩＰ通信するための接続情報を要求する（Ｓ６０５）。
【００５０】
その後、接続情報要求部４０３がファイアウォール１０２から接続情報を取得したら（Ｓ６０６：ＹＥＳ）、当該接続情報をリプライＦＡＸ送信部４０４が携帯端末装置１１０へファクシミリ送信する（Ｓ６０７）。接続情報をファクシミリ受信した携帯端末装置１１０が、ファイアウォール１０２を経由したＩＰ通信によって送信したジョブをジョブ受付部４０５が受信したら（Ｓ６０８：ＹＥＳ）、ジョブ実行部４０６が当該ジョブを実行する（Ｓ６０９）。
【００５１】
なお、通常のＦＡＸを受信した場合には（Ｓ６０２：ＮＯ）、通常通りにファクシミリデータを印刷出力する（Ｓ６１０）。ステップＳ６０７、Ｓ６０９およびＳ６１０の処理を完了した後は、ステップＳ６０１へ進んで上記の処理を繰り返す。
（１−４）携帯端末装置１１０の構成と動作
次に、携帯端末装置１１０のハードウェア構成、機能構成および動作について説明する。
【００５２】
図７に示すように、携帯端末装置１１０は、ＣＰＵ（Central Processing Unit）７０１、ＲＯＭ（Read Only Memory）７０２およびＲＡＭ（Random Access Memory）７０３等を備えており、画像形成装置１００に電源が投入されると、ＣＰＵ７０１はＲＯＭ７０２からブートプログラムを読み出して起動し、ＲＡＭ７０３を作業用記憶領域として、ＨＤＤ（Hard Disk Drive）７０４から読み出したＯＳ（Operating System）や制御プログラムを実行する。
【００５３】
ＣＰＵ７０１は、ＦＡＸ処理部７０５を用いて、音声通話やファクシミリの送受信を行うためのプロトコル処理を行う。また、ＣＰＵ７０１は、通信制御部７０６を用いて、ＩＰ通信のためのプロトコル処理を行う。更に、ＣＰＵ７０１は、プリンター部２０１、給紙部２０２およびスキャナー部２０３の動作を監視したり、制御したりする。
【００５４】
無線通信回路７０７は、無線基地局１３１と無線通信するための回路である。近距離無線通信回路７０８は、無線ＬＡＮ親機１２１と無線通信するための回路である。タッチパネル７０９は、タッチパッド部７１２と液晶表示部（LCD: Liquid Crystal Display）７１３とを備えており、携帯端末装置１１０のユーザーからタッチ入力を受け付けたり、テキストや画像によって情報を提示したりする。
【００５５】
撮像処理部７１０は、カメラを備えており、静止画や動画を撮像する。音声処理部７１１は、マイク部７１４とスピーカー部７１５とを備えており、音声通話時における音声の入出力や、動画や音声の再生時における音声出力を行う。
【００５６】
図８は、携帯端末装置１１０の主要な機能構成を表すブロック図である。図８に示すように、携帯端末装置１１０は、ＦＡＸ番号受付部８０１、端末情報取得部８０２およびコマンド生成部８０３などを備えている。ＦＡＸ番号受付部８０１は、携帯端末装置１１０のユーザーからタッチパネル６０８を用いて画像形成装置１００のファクシミリ番号の入力を受け付ける。ＦＡＸ番号受付部８０１は、受け付けたファクシミリ番号を端末情報取得部８０２に入力する。
【００５７】
端末情報取得部８０２は、コマンドＦＡＸを生成するために必要な端末情報としてファクシミリ番号とＩＰアドレスを取得する。ファクシミリ番号はＦＡＸ番号受付部８０１から取得する。ＩＰアドレスは通信制御部６０６から取得してもよいし、ＨＤＤ６０４に記録されているＩＰアドレスを読み出してもよい。端末情報取得部８０２は、取得した端末情報をコマンド生成部８０３に入力する。
【００５８】
コマンド生成部８０３は、端末情報取得部８０２から入力された端末情報を用いて所定のデータ構造を有するコマンドＦＡＸを生成し、コマンド送信部８０４は、コマンド生成部８０３が生成したコマンドＦＡＸをファクシミリ送信する。
【００５９】
接続情報受信部８０５は、画像形成装置１００がファクシミリ送信した接続情報を含むリプライＦＡＸをファクシミリ受信する。接続情報受信部８０５は、受信したリプライＦＡＸから接続情報を取得する。接続情報は、上述のように、ファイアウォール１０２を経由して画像形成装置１００にアクセスするためのログイン名とパスワードとを含んでいる。
【００６０】
ジョブ送信部８０６は、接続情報受信部８０５が受信した接続情報を用いて、画像形成装置１００との間にＩＰ接続を確立し、当該ＩＰ接続を利用してジョブを送信する。
【００６１】
図９に示すように、携帯端末装置１１０は、ＦＡＸ番号受付部８０１にてユーザーから画像形成装置１００のファクシミリ番号を受け付けると（Ｓ９０１：ＹＥＳ）、端末情報取得部８０２にて携帯端末装置１１０自身のＩＰアドレスとファクシミリ番号を端末情報として取得する（Ｓ９０２）。端末情報取得部８０２が取得した端末情報を用いて、コマンド生成部８０３は、コマンドＦＡＸを生成し（Ｓ９０３）、コマンド送信部７０４は、当該コマンドＦＡＸをユーザーから受け付けたファクシミリ番号宛てに送信する（Ｓ９０４）。これによって、コマンドＦＡＸが画像形成装置１００へ送信される。
【００６２】
その後、画像形成装置１００がファクシミリ送信したリプライＦＡＸを接続情報受信部７０５が受信したら（Ｓ９０５：ＹＥＳ）、ジョブ送信部８０６は、当該リプライＦＡＸに含まれている接続情報を取得して（Ｓ９０６）、当該接続情報のうち画像形成装置１００のＩＰアドレスおよびポート番号に対してＩＰ接続を試みる（Ｓ９０７）。この際、ジョブ送信部８０６は、接続先である画像形成装置１００のＩＰアドレスおよびポート番号に加えて、リプライＦＡＸに含まれている接続情報（ログイン名とパスワード）をファイアウォール１０２へ送信して、ＩＰ接続を要求する。
【００６３】
ファイアウォール１０２が接続を許可し、画像形成装置１００とのＩＰ接続を確立することができたら（Ｓ９０８：ＹＥＳ）、当該ＩＰ接続を用いてジョブ送信部７０６は画像形成装置１００へジョブを送信する（Ｓ９０９）。ジョブの送信を完了したら、画像形成装置１００とのＩＰ接続を切断して処理を終了する。なお、ジョブの送信が成功したか否かは下位層プロトコル（例えば、TCP/IP: Transmission Control Protocol/Internet Protocol）が送達確認を行うので、当該送達が確認されてから通信を切断することになる。
【００６４】
図１０は、画像形成装置１００、ファイアウォール１０２および携帯端末装置１１０の間の通信手順を説明するシーケンス図である。図１０に示すように、まず、携帯端末装置１１０のユーザーが画像形成装置１００に処理を要求するためのアプリケーションプログラムを起動すると、当該アプリケーションプログラムがユーザーにファクシミリ番号の入力を要求する。
【００６５】
例えば、画像形成装置１００が携帯端末装置１１０のユーザーの職場に設置されている場合には、当該ユーザー自身の名刺等に画像形成装置１００のファクシミリ番号が記載されていることが多いので、そのような名詞等を参照しながらユーザーがファクシミリ番号を入力すると、コマンドＦＡＸを画像形成装置１００にファクシミリ送信する。
【００６６】
また、携帯端末装置１１０のユーザーがプリンタードライバー等を用いて画像形成装置１００に印刷等を指示する際に、上述のようなアプリケーションプログラムをプリンタードライバー等が自動的に呼び出して、当該呼び出しの際にプリンタードライバー等がアプリケーションプログラムにファクシミリ番号を指定してもよい。
【００６７】
画像形成装置１００は、携帯端末装置１１０からコマンドＦＡＸをファクシミリ受信すると、携帯端末装置１１０のＩＰアドレスと画像形成装置のＩＰアドレスおよびポート番号を指定してファイアウォール１０２に接続情報を要求する。ファイアウォール１０２は、画像形成装置１００に接続情報を要求されると、接続情報としてログイン名とパスワードを画像形成装置に返信する。
【００６８】
画像形成装置１００は、ファイアウォール１０２から接続情報を受信すると、当該接続情報を含むリプライＦＡＸを携帯端末装置１１０へファクシミリ送信する。携帯端末装置１１０は、画像形成装置１００からリプライＦＡＸをファクシミリ受信すると、当該リプライＦＡＸに含まれている接続情報を用いて、ファイアウォール１０２に対して画像形成装置１００との接続を要求する。
【００６９】
この接続要求に対して、ファイアウォール１０２が携帯端末装置１１０に画像形成装置１００とのＩＰ通信を許可する旨の接続許可を応答すると、携帯端末装置１１０は、画像形成装置１００にジョブを送信し、その後、ＩＰ接続を切断する。なお、携帯端末装置１１０は、画像形成装置１００からジョブの実行が成功したか、失敗したか、また、失敗した場合には失敗の種別に関する情報を受信してからＩＰ接続を切断してもよい。
【００７０】
このようにすれば、ＬＡＮ１０１に接続された画像形成装置１００やＰＣ１０４等の装置のセキュリティをファイアウォール１０２によって保護しながら、携帯端末装置１１０からインターネット１２０等の外部のネットワークを経由して画像形成装置１００がジョブを受け付けて実行することができると同時に、携帯端末装置１１０から画像形成装置１００へジョブを送信するための手間を最小化することができる。
［２］第２の実施の形態
次に、本発明の第２の実施の形態について説明する。
【００７１】
本実施の形態に係る画像形成システムは、概ね上記第１の実施の形態に係る画像形成システムと共通の構成を備える一方、上記第１の実施の形態のように携帯端末装置１１０が画像形成装置１００とのＩＰ接続を確立するのに代えて、画像形成装置１００が携帯端末装置１１０とのＩＰ接続を確立する点において相違している。以下においては、主として当該相違点に注目して説明する。
【００７２】
なお、本明細書においては実施の形態どうしで共通する構成については共通の符号が付与されている。
（２−１）画像形成装置１００の構成と動作
まず、本実施の形態に係る画像形成装置１００の制御部２００の機能構成と動作について説明する。
【００７３】
図１１に示すように、制御部２００は、コマンドＦＡＸ受信部１１０１、端末情報照合部１１０２および音声要求部１１０３等を備えている。コマンドＦＡＸ受信部１１０１は、携帯端末装置１１０からコマンドＦＡＸを受信する。コマンドＦＡＸには、コマンドＦＡＸをファクシミリ送信した携帯端末装置１１０の端末情報として、ＩＰアドレスとファクシミリ番号が含まれている。
【００７４】
端末情報照合部１１０２は、コマンドＦＡＸに含まれている端末情報のうちのファクシミリ番号が、上述のように、図５に示す端末情報テーブル５００に予め登録されているファクシミリ番号に該当するか否か照合する。
【００７５】
端末情報テーブル５００に記憶されているファクシミリ番号の中に、コマンドＦＡＸの端末情報に含まれているファクシミリ番号に一致するファクシミリ番号があると端末情報照合部１１０２が判断した場合には、ジョブ要求部１１０３は、ファイアウォール１０２を経由して携帯端末装置１１０とのＩＰ接続を確立し、携帯端末装置１１０にジョブを要求する。この場合には、ジョブ要求部１１０３がＬＡＮ１０１側からインターネット１２０側へＩＰ接続を行うので、ファイアウォール１０２によるアクセスが制限されることはない。
【００７６】
ジョブ受付部１１０４は、ジョブ要求部１１０３が確立したＩＰ接続を用いて携帯端末装置１１０からジョブを受け付け、その後、ＩＰ接続を切断する。ジョブ実行部１１０５は、ジョブ受付部１１０４が携帯端末装置１１０から受け付けたジョブを実行する。
【００７７】
図１２は、制御部２００の動作を示すフローチャートである。図１２に示すように、制御部２００は、コマンドＦＡＸ受信部１１０１にてファクシミリを受信すると（１２０１：ＹＥＳ）、当該ファクシミリがコマンドＦＡＸであるか否かを判定する。受信したファクシミリがコマンドＦＡＸである場合には（Ｓ１２０２：ＹＥＳ）、端末情報照合部１１０２が端末情報を取得する（Ｓ１２０３）。
【００７８】
端末情報テーブル５００に記憶されているファクシミリ番号の中に、端末情報に含まれるファクシミリ番号に一致するファクシミリ番号がある場合には（Ｓ１２０４：ＹＥＳ）、ジョブ要求部１１０３は、ファイアウォール１０２を経由して携帯端末装置１１０とのＩＰ接続を確立し（Ｓ１２０５）、携帯端末装置１１０にジョブを要求する（Ｓ１２０６）。
【００７９】
その後、ジョブ受付部１１０４が携帯端末装置１１０からジョブを受け付けたら（Ｓ１２０７：ＹＥＳ）、当該ジョブをジョブ実行部１１０５が実行する（Ｓ１２０８）。また、受信したＦＡＸがコマンドＦＡＸでない場合は（Ｓ１２０２：ＮＯ）、通常通りファクシミリを印刷する（Ｓ１２０９）。
【００８０】
ステップＳ１２０８、Ｓ１２０９の処理を完了した後、ステップＳ１２０１に進む。また、ステップＳ１２０４において端末情報テーブル５００に記憶されているファクシミリ番号の中に、端末情報に含まれるファクシミリ番号に一致するファクシミリ番号がない場合には、セキュリティ保護の観点から画像形成装置１００の利用を許可することができないので、ステップＳ１２０１に進んで上記の処理を繰り返す。
【００８１】
図１３は、本実施の形態に係るシーケンス図である。図１３に示すように、携帯端末装置１１０が画像形成装置１００にコマンドＦＡＸを送信すると、画像形成装置１００がファイアウォール１０２を経由して携帯端末装置１１０にジョブを要求する。この要求の際に、画像形成装置１００と携帯端末装置１１０とのＩＰ接続が確立されるので、当該ＩＰ接続を利用して携帯端末装置１１０は画像形成装置１００にジョブを送信することができる。
【００８２】
このようにしても、ＬＡＮ１０１に接続された画像形成装置１００やＰＣ１０４等の装置のセキュリティをファイアウォール１０２によって保護しながら、携帯端末装置１１０からインターネット１２０等の外部のネットワークを経由して画像形成装置１００がジョブを受け付けて実行することができると同時に、携帯端末装置１１０から画像形成装置１００へジョブを送信するための手間を最小化することができる。
［３］変形例
以上、本発明を実施の形態に基づいて説明してきたが、本発明が上述の実施の形態に限定されないのは勿論であり、以下のような変形例を実施することができる。
（３−１）上記実施の形態においては電話網１３０を経由してファクシミリの送受信を行う場合を例にとって説明したが、本発明がこれに限定されないのは言うまでもなく、これに代えて次のようにしてもよい。
【００８３】
図１４に示すように、本変形例に係る画像形成システム１４は、ＶｏＩＰ（Voice over Internet Protocol）を利用してファクシミリデータを送受信するものである。このため、ＬＡＮ１０１にＶｏＩＰゲートウェイ１４０１が接続されており、インターネット１２０と電話網１３０とはＶｏＩＰゲートウェイ１４０２を介して接続されている。なお、ＶｏＩＰトラフィックは、トンネリング技術を用いてファイアウォール１０２を通過することができる。
【００８４】
従って、携帯端末装置１１０が、コマンドＦＡＸのファクシミリ送信に先立って、画像形成装置とのＶｏＩＰ接続を確立したり、画像形成装置１００が、リプライＦＡＸのファクシミリ送信に先立って、携帯端末装置１１０とのＶｏＩＰ接続を確立したりすれば、ＶｏＩＰを利用したファクシミリの送受信を行うことができる。
【００８５】
このようにしても、画像形成装置１００と携帯端末装置１１０との間で、上記第１および第２の実施の形態に係るコマンドＦＡＸや上記第１の実施の形態に係るリプライＦＡＸをファクシミリ送受信することができる。従って、ファクシミリデータを送受信するための経路は上記第１および第２の実施の形態とは異なるものの同様の効果を得ることができる。
（３−２）上記実施の形態においては詳述しなかったが、画像形成装置１００がコマンドＦＡＸと通常のＦＡＸとを識別するためには、次のようにしてもよい。
【００８６】
例えば、携帯端末装置１１０は、スキャナー部やプリンター部を備えていないため、コマンドＦＡＸを送信するとき以外にはファクシミリデータを送信しない点に着目して、ファクシミリデータの送信元が携帯端末装置１１０である場合にはコマンドＦＡＸであると判定してもよい。
【００８７】
Ｇ３ファクシミリのプロトコルでは、図１５に示すように、プロトコル動作がフェーズＡからフェーズＥまで順に進行する。図１６に示すように、フェーズＡにおいては、発呼端末（携帯端末装置１１０）が発呼トーン（CNG: Calling signal）を被呼端末（画像形成装置１００）に送信し、被呼端末は、ＣＮＧ信号を受信すると、被呼局識別信号（CED: Called Signal）を発呼端末に返信する。
【００８８】
フェーズＡに続くフェーズＢにおいて、被呼端末は、ディジタル識別信号（DIS: Digital Identification Signal）を発呼端末に送信する。ＤＩＳ信号を受信した発呼端末は、ディジタル命令信号（DCS: Digital Command Signal）を送信する際に、併せて送信端末識別信号（TSI: Transmitting Subscriber Identification）を送信することができる。このＴＳＩ信号は国際電話番号によって発呼端末を表示する信号である。
【００８９】
図１７に示すように、制御信号の標準的なフレーム構成におけるバイナリコード情報に含まれるディジタル識別フレームを構成する８ビットのファクシミリ制御フィールド(FCF: Facsimile Control Field)を用いて制御信号の種別を指定することができる。例えば、制御信号がＤＩＳ信号である場合にはファクシミリ制御フィールドの値を２進数表示で０００００００１とし、ＤＣＳ信号である場合にはＸ１００００１とする。ＴＳＩ信号ならばＸ１００００１０とすればよい。
【００９０】
なお、第１ビットのＸについては、正しいＤＩＳ信号を受信した端末が１をセットし、ＤＩＳ信号に対する正しく適切な応答を受信した端末が０をセットし、端末がフェーズＢの先頭に再び入るまでは変更しない、ものとする。また、制御信号がＴＳＩ信号である場合には、２０桁のファクシミリ情報フィールド（FIF: Facsimile Information Field）を用いて国際電話番号が通知される。
【００９１】
以上のようにして、ＴＳＩ信号を用いて携帯端末装置１１０のファクシミリ番号を画像形成装置１００に通知し、通知されたファクシミリ番号に一致するファクシミリ番号が端末情報テーブル５００に記憶されていれば、当該ファクシミリはコマンドＦＡＸであると判定することができる。
【００９２】
なお、このようにしてコマンドＦＡＸを識別する場合には、上記第１の実施の形態に関する図６のフローチャートにおけるステップＳ６０４の判定処理や、上記第２の実施の形態に関する図１２のフローチャートにおけるステップＳ１２０４の判定処理を省くこともできる。
【００９３】
また、例えば、Ｇ３ファクシミリのプロトコルで規定されている制御信号の１つである非標準機能識別信号（NSF: Non-Standard Facilities）を利用して、コマンドＦＡＸと通常のＦＡＸとを識別してもよい。
【００９４】
具体的には、図１８に示すように、フェーズＡにおいては、発呼端末（携帯端末装置１１０）がＣＮＧ信号を被呼端末（画像形成装置１００）に送信し、被呼端末は、これに応答して、ＣＥＤ信号を発呼端末に返信する。
【００９５】
フェーズＢにおいて、被呼端末は、ＮＳＦ信号とＤＩＳ信号とを発呼端末に送信する。ＮＳＦ信号とＤＩＳ信号を受信した発呼端末は、非標準機能信号（NSC: Non-Standard Facilities Command）を送信することができる。このＮＳＣ信号とともに送信するファクシミリ情報フィールドにおいて、コマンドＦＡＸであるか通常のＦＡＸであるかを発呼端末が指定すれば、被呼端末である画像形成装置１００はコマンドＦＡＸを識別することができる。
【００９６】
ＮＳＦ信号およびＮＳＣ信号のファクシミリ情報フィールドのデータ構造は、ＩＴＵ−Ｔ勧告Ｔ．３０に基づくＪＴ−Ｔ３０で定義されている。図１９（ａ）に示すように、オクテット番号が５以降の部分のデータ構造については提供者が独自に設定することができるため、例えば、図１９（ｂ）に示すように、第５オクテットの第０ビット（LSB: Least Significant Bit）のみがセットされていたら通常のＦＡＸ、第１ビットのみがセットされていたらコマンドＦＡＸ、第２ビットのみがセットされていたらリプライＦＡＸと定義して、発呼端末が適当なビット位置をセットすれば、ファクシミリデータの種別を被呼端末に通知して、識別させることができる。
【００９７】
なお、携帯端末装置１１０は、上述のようにスキャナー部やプリンター部を備えていないため、通常のＦＡＸを受信することはないため、リプライＦＡＸと通常のＦＡＸとを識別する必要はないが、上述のＮＳＦ信号を用いれば、画像形成装置１００がコマンドＦＡＸと通常のＦＡＸとを識別するのと同様にして、リプライＦＡＸと通常のＦＡＸとを携帯端末装置１１０に識別させることができる。
【００９８】
また、上述とは異なる手段を用いてファクシミリデータの種別を判定してもよい。ファクシミリデータの判定方法の如何に関わらず本発明の効果は同様である。
（３−３）上記実施の形態においては詳述しなかったが、ファクシミリを送受信して端末情報や接続情報を通知する場合には、次のようにしてもよい。
【００９９】
例えば、Ｇ３ファクシミリのプロトコルで規定されているバイナリファイル転送（BFT: Binary File Transfer）の手順を利用して端末情報や接続情報を通知する場合には、被呼端末がＤＩＳ信号のファクシミリ情報フィールドの第５３ビットをセットすることによってバイナリファイルを送受信することができる旨を発呼端末に通知する。
【０１００】
発呼端末は、被呼端末がファクシミリ情報フィールドの第５１ビットをセットしたＤＩＳ信号を受信すると、ＤＣＳ信号のファクシミリ情報フィールドの第５３ビットをセットして送信する。このようなネゴシエーションを経れば、バイナリファイルである端末情報や接続情報を発呼端末から被呼端末へ送信することができる。バイナリファイルは通常のファクシミリメッセージと同様にして送受信される。
【０１０１】
なお、上述とは異なる手段を用いて端末情報や接続情報をファクシミリ送受信してもよく、ファクシミリ送受信方法の如何に関わらず本発明の効果は同様である。
（３−４）上記実施の形態においては、携帯端末装置１１０がファクシミリ送信した端末情報に含まれているファクシミリ番号を端末情報テーブル５００に記憶されているファクシミリ番号と照合することによって、接続の可否を判定する場合を例にとって説明したが、本発明がこれに限定されないのは言うまでもなく、これに代えて、或いはこれに加えて次のようにしてもよい。
【０１０２】
例えば、携帯端末装置１１０から音声情報を含めた端末情報を送信して、当該音声情報を照合することによって画像形成装置１００が接続の可否を判断してもよい。図２０に示すように、本変形例に係る画像形成装置１００の制御部２００は、コマンドＦＡＸ受信部２００１、音声認証部２００２およびジョブ要求部２００３等を備えている。コマンドＦＡＸ受信部２００１は、携帯端末装置１１０からコマンドＦＡＸを受信する。コマンドＦＡＸには、コマンドＦＡＸをファクシミリ送信した携帯端末装置１１０の端末情報として、ＩＰアドレスと音声データが含まれている。
【０１０３】
音声認証部２００２は、コマンドＦＡＸに含まれている端末情報のうちの音声データが、図２１に示す端末情報テーブル２１００に予め登録されている音声データに該当するか否か照合する。なお、音声データそのものに代えて音声データの特徴量のみを端末情報として受信し、端末情報テーブル２１００にも音声データに代えて音声データの特徴量を記憶しておき、特徴量どうしを照合することによって認証してもよい。
【０１０４】
端末情報テーブル２１００に記憶されている音声データの中に、コマンドＦＡＸの端末情報に含まれている音声データに一致する音声データがあると音声認証部２００２が判断した場合には、ジョブ要求部２００３は、ファイアウォール１０２を経由して携帯端末装置１１０とのＩＰ接続を確立し、携帯端末装置１１０にジョブを要求する。この場合には、ジョブ要求部２００３がＬＡＮ１０１側からインターネット１２０側へＩＰ接続を行うので、ファイアウォール１０２によるアクセスが制限されることはない。
【０１０５】
ジョブ受付部２００４は、ジョブ要求部２００３が確立したＩＰ接続を用いて携帯端末装置１１０からジョブを受け付け、その後、ＩＰ接続を切断する。ジョブ実行部２００５は、ジョブ受付部２００４が携帯端末装置１１０から受け付けたジョブを実行する。
【０１０６】
図２２は、制御部２００の動作を示すフローチャートである。図２２に示すように、制御部２００は、コマンドＦＡＸ受信部２００１にてファクシミリを受信すると（２２０１：ＹＥＳ）、当該ファクシミリがコマンドＦＡＸであるか否かを判定する。受信したファクシミリがコマンドＦＡＸである場合には（Ｓ２２０２：ＹＥＳ）、制御部２００は、音声認証部２００２にてコマンドＦＡＸに含まれている端末情報を取得する（Ｓ２２０３）。
【０１０７】
音声認証部２００２は音声データが含まれている端末情報を用いて音声認証を実行し（Ｓ２２０４）、端末情報テーブル５００に記憶されている音声データの中に、端末情報に含まれる音声データに一致する音声データがある場合には（Ｓ２２０５：ＹＥＳ）、ジョブ要求部２００５は、ファイアウォール１０２を経由して携帯端末装置１１０とのＩＰ接続を確立し（Ｓ２２０６）、携帯端末装置１１０にジョブを要求する（Ｓ２２０７）。
【０１０８】
その後、ジョブ受付部２００６が携帯端末装置１１０からジョブを受け付けたら（Ｓ２２０８：ＹＥＳ）、当該ジョブをジョブ実行部２００７が実行する（Ｓ２２０９）。また、受信したＦＡＸがコマンドＦＡＸでない場合は（Ｓ２２０２：ＮＯ）、通常通りファクシミリを印刷する（Ｓ２２１０）。
【０１０９】
ステップＳ２２０９、Ｓ２２１０の処理を完了した後、ステップＳ２２０１に進む。また、ステップＳ２２０５において端末情報テーブル５００に記憶されている音声データの中に、端末情報に含まれる音声データに一致する音声データがない場合には（Ｓ２２０５：ＮＯ）、セキュリティ保護の観点から画像形成装置１００の利用を許可することができないので、ステップＳ２２０１に進んで上記の処理を繰り返す。
【０１１０】
図２３は、本実施の形態に係るシーケンス図である。図２３に示すように、携帯端末装置１１０が画像形成装置１００にコマンドＦＡＸを送信し、画像形成装置１００がコマンドＦＡＸに含まれている音声データを用いた音声認証に成功すると、画像形成装置１００がファイアウォール１０２を経由して携帯端末装置１１０にジョブを要求する。この要求の際に、画像形成装置１００と携帯端末装置１１０とのＩＰ接続が確立されるので、当該ＩＰ接続を利用して携帯端末装置１１０は画像形成装置１００にジョブを送信することができる。
【０１１１】
このようにしても、ＬＡＮ１０１に接続された装置のセキュリティを保護しながら、携帯端末装置１１０からジョブを受け付けて画像形成装置１００が実行することができ、携帯端末装置１１０から画像形成装置１００へジョブを送信するための手間を最小化することができる。
（３−５）上記変形例では、画像形成装置１００が音声認証を行うための音声データが、コマンドＦＡＸに添付された端末情報に含まれている場合を例にとって説明したが、本発明がこれに限定されないのは言うまでもなく、これに代えて次のようにしてもよい。
【０１１２】
例えば、携帯端末装置１１０から端末情報とは別途、音声情報を取得して、当該音声情報を照合することによって画像形成装置１００が接続の可否を判断してもよい。図２４に示すように、本変形例に係る画像形成装置１００の制御部２００は、コマンドＦＡＸ受信部２４０１、音声取得部２４０２および音声認証部２４０３等を備えている。コマンドＦＡＸ受信部２４０１は、携帯端末装置１１０からコマンドＦＡＸを受信する。コマンドＦＡＸには、コマンドＦＡＸをファクシミリ送信した携帯端末装置１１０の端末情報として、ＩＰアドレスとファクシミリ番号が含まれている。
【０１１３】
音声取得部２４０２は、端末情報のうちのファクシミリ番号を用いて携帯端末装置１１０と音声通話を行い、音声認証に用いる音声データを取得する。この場合において、音声取得部２４０２は、携帯端末装置１１０のファクシミリ番号宛ての通話回線が接続されたら、音声認証に用いる音声データを要求するメッセージを再生し、携帯端末装置１１０から音声データを取得した後、当該通話回線を切断する。
【０１１４】
また、音声取得部２４０２は、Ｇ３ファクシミリのプロトコルで規定されたポーリング機能を用いて音声データを取得してもよい。この場合には、端末情報のうちのファクシミリ番号を用いて、図２５に示すように、発呼端末である画像形成装置１００は、被呼端末である携帯端末装置１１０からＤＩＳ信号を受信すると、ディジタル送信命令信号（DTC: Digital Transmit Command）を送信して、画像形成装置１００がファクシミリ装置としてサポートする機能を通知する。この場合において、画像形成装置１００は、ファクシミリ情報フィールドの第５１ビットに１をセットして、ポーリング機能をサポートしている旨を通知するとともに、ファクシミリ情報フィールドの第５３ビットに１をセットして、バイナリファイル転送機能をサポートしている旨を通知する。
【０１１５】
これに対して、携帯端末装置１１０は、ポーリング機能とバイナリファイル転送機能を選択する旨のＤＣＳ信号を画像形成装置１００に返信する。その後、音声データを受信する準備が完了したら、画像形成装置１００は携帯端末装置１１０に受信準備確認信号（CFR: Confirmation to Receive）を送信する。ＣＦＲ信号を受信した携帯端末装置１１０は、画像形成装置１００に音声データをバイナリファイル転送によって送信する。このようにしても、音声取得部２４０２は、音声データを取得することができる。
【０１１６】
音声認証部２４０３は、音声取得部２４０２が取得した音声データを用いて音声認証を行う。音声認証部２４０３による音声認証が成功したら、ジョブ要求部２４０４は、携帯端末装置１１０とＩＰ接続を確立し、当該ＩＰ接続を経由して携帯端末装置１１０にジョブを要求する。
【０１１７】
ジョブ受付部２４０５は、ジョブ要求部２４０４が確立したＩＰ接続を経由して、携帯端末装置１１０からジョブを受け付ける。その後、ジョブ受付部２４０５は、当該ＩＰ接続を切断する。ジョブ実行部２４０６は、ジョブ受付部２４０５が受け付けたジョブを実行する。
【０１１８】
図２６は、制御部２００の動作を示すフローチャートである。図２６に示すように、制御部２００は、コマンドＦＡＸ受信部２４０１にてファクシミリを受信すると（２６０１：ＹＥＳ）、当該ファクシミリがコマンドＦＡＸであるか否かを判定する。受信したファクシミリがコマンドＦＡＸである場合には（Ｓ２６０２：ＹＥＳ）、音声取得部２４０２が携帯端末装置１１０から音声データを取得する（Ｓ２６０３）。
【０１１９】
音声認証部２４０３は、音声取得部２４０２が取得した音声データを用いて音声認証を行い（Ｓ２６０４）、音声認証が成功した場合には（Ｓ２６０５：ＹＥＳ）、ジョブ要求部２４０４は、携帯端末装置１１０とのＩＰ接続を確立し（Ｓ２６０６）、携帯端末装置１１０にジョブを要求する（Ｓ２６０７）。
【０１２０】
その後、ジョブ受付部２４０５が携帯端末装置１１０からジョブを受け付けたら（Ｓ２６０８：ＹＥＳ）、当該ジョブをジョブ実行部２４０６が実行する（Ｓ２６０９）。また、受信したＦＡＸがコマンドＦＡＸでない場合は（Ｓ２６０２：ＮＯ）、通常通りファクシミリを印刷する（Ｓ２６１０）。
【０１２１】
ステップＳ２６０９、Ｓ２６１０の処理を完了した後、ステップＳ２６０１に進む。また、ステップＳ２６０５において音声認証が失敗した場合には（Ｓ２６０５：ＮＯ）、画像形成装置１００との接続を許可することなく、ステップＳ２６０１に進んで上記の処理を繰り返す。
【０１２２】
図２７は、本実施の形態に係るシーケンス図である。図２７に示すように、携帯端末装置１１０が画像形成装置１００にコマンドＦＡＸを送信すると、画像形成装置１００がコマンドＦＡＸの送信元である携帯端末装置１１０に音声データを要求する。この要求に応えて、携帯端末装置１１０が音声データを返信し、返信された音声データを用いて画像形成装置１００が音声認証を実行する。
【０１２３】
この音声認証が成功すると、画像形成装置１００は携帯端末装置１１０とのＩＰ接続を確立し、当該ＩＰ接続を利用して携帯端末装置１１０にジョブを要求する。携帯端末装置１１０もまた当該ＩＰ接続を利用して画像形成装置１００にジョブを送信すると、画像形成装置１００は当該ジョブを受信して、実行する。
【０１２４】
このようにしても、本発明の効果を得ることができる。
（３−６）上記変形例においては、画像形成装置１００が携帯端末装置１１０から音声データを取得して、当該音声データを用いた音声認証が成功した場合にだけ画像形成装置１００と携帯端末装置１１０とのＩＰ接続を許可する場合を例にとって説明したが、本発明がこれに限定されないのは言うまでもなく、音声データ以外の秘密情報を携帯端末装置から取得し、当該秘密情報を用いて認証することによってＩＰ接続の可否を判断してもよい。当該秘密情報は、例えば、暗証番号やパスワード等のような文字列であってもよいし、携帯端末装置１１０のユーザーの指紋画像や虹彩画像などといった生体情報であってもよい。
（３−７）画像形成装置１００から携帯端末装置１１０とのＩＰ接続を確立する際に、携帯端末装置１１０側のセキュリティを保護する必要がある場合には次のようにしてもよい。
【０１２５】
例えば、携帯端末装置１１０は、コマンドＦＡＸを送信する際に、ＩＰ接続時のセキュリティを保護するための接続用秘密情報を生成して、当該接続用秘密情報を端末情報と併せて画像形成装置１００へ送信する。画像形成装置１００は、携帯端末装置１１０とのＩＰ接続を確立する際に、当該接続用秘密情報を携帯端末装置１１０へ送信し、携帯端末装置１１０は、正しい接続用秘密情報を受信したときのみ画像形成装置１００とのＩＰ接続の確立を許可する。
【０１２６】
このようにすれば、コマンドＦＡＸを受信した画像形成装置１００以外の装置が、携帯端末装置１１０とのＩＰ接続を確立するのを防止することができるので、携帯端末装置１１０のセキュリティ保護を向上させることができる。
（３−８）上記変形例では、携帯端末装置１１０から音声データ等の秘密情報を取得して画像形成装置１００が認証処理を実行する場合を例にとって説明したが、本発明がこれに限定されないのは言うまでもなく、これに代えて次のようにしてもよい。
【０１２７】
図２８に示すように、本変形例に係る画像形成装置１００の制御部２００は、コマンドＦＡＸ受信部２８０１、トライアル文字列送信部２８０２およびトライアル認証部２８０３等を備えている。コマンドＦＡＸ受信部２８０１は、携帯端末装置１１０からコマンドＦＡＸをファクシミリ受信する。
【０１２８】
トライアル文字列送信部２８０２は、トライアル文字列を生成して、コマンドＦＡＸの送信元へファクシミリ送信する。本変形例においては、トライアル文字列送信部２８０２は、まず乱数を発生させることによってオリジナル文字列を生成する。オリジナル文字列はトライアル認証が完了するまでＲＡＭ３０３またはＨＤＤ３０４に保存される。更に、トライアル文字列送信部２８０２は、コマンドＦＡＸの送信元の携帯端末装置１１０に対応する公開鍵を、図２９に例示する端末情報テーブル２９００から読み出し、当該公開鍵を用いて前記オリジナル文字列を暗号化することによって、トライアル文字列を生成する。
【０１２９】
トライアル文字列送信部２８０２が、トライアル文字列をファクシミリ送信する際には、例えば、まず携帯端末装置１１０がＮＳＦ信号を用いてトライアル文字列を受信する非標準機能をサポートしている旨を画像形成装置１００に通知する。当該ＮＳＦ信号を受信した画像形成装置１００は、トライアル文字列を受信する非標準機能を指定するＮＳＣ信号を携帯端末装置１１０へ送信した後、バイナリファイル転送によってトライアル文字列をファクシミリ送信する。
【０１３０】
トライアル認証部２８０３は、携帯端末装置１１０からトライアル応答をファクシミリ受信して、トライアル認証を実行する。トライアル認証部２８０３が、トライアル応答をファクシミリ受信する際には、例えば、まず画像形成装置１００がＮＳＦ信号を用いてトライアル応答を受信する非標準機能をサポートしている旨を携帯端末装置１１０に通知する。画像形成装置１００は、トライアル応答を受信する非標準機能を指定するＮＳＣ信号を携帯端末装置１１０から受信した後、バイナリファイル転送によってトライアル応答をファクシミリ受信する。
【０１３１】
トライアル認証部２８０３は、トライアル応答をファクシミリ受信すると、画像形成装置１００の秘密鍵を用いてトライアル応答を復号化した復号化列を生成し、当該復号化列とトライアル文字列送信部２８０２が記憶しておいたトライアル文字列とを照合する。トライアル認証部２８０３は、復号化列とトライアル文字列とが一致したらトライアル認証が成功したと判定する。
【０１３２】
ジョブ要求部２８０４は、トライアル認証が成功したら、携帯端末装置１１０とＩＰ接続して、ジョブを要求する。ジョブ受付部２８０５は、前記ＩＰ接続を経由して、携帯端末装置１１０からジョブを受け付け、ジョブ実行部２８０６は、ジョブ受付部２８０５が受け付けたジョブを実行する。
【０１３３】
このような機能構成を備える制御部２００は、図３０に示すように、コマンドＦＡＸ受信部２８０１にてコマンドＦＡＸを受信すると（Ｓ３００１：ＹＥＳ）、トライアル文字列送信部２８０２にて当該コマンドＦＡＸの送信元の携帯端末装置１１０の公開鍵が端末情報テーブル２９００に登録されているか確認する。
【０１３４】
当該公開鍵が端末情報テーブル２９００に登録されている場合には（Ｓ３００２：ＹＥＳ）、トライアル文字列送信部２８０２にてオリジナル文字列を生成し、携帯端末装置１１０の公開鍵を用いて当該オリジナル文字列を暗号化してトライアル文字列を生成し（Ｓ３００３）、当該トライアル文字列を携帯端末装置１１０へファクシミリ送信する（Ｓ３００４）。
【０１３５】
その後、トライアル認証部２８０３にて携帯端末装置１１０からトライアル応答をファクシミリ受信したら（Ｓ３００５：ＹＥＳ）、画像形成装置１００の秘密鍵を用いてトライアル応答からオリジナル文字列を復号化する（Ｓ３００６）。復号化したオリジナル文字列と、予め記憶しておいたオリジナル文字列とを照合して、これらの文字列が一致したら、トライアル認証部２８０３は、トライアル認証が成功したと判断する（Ｓ３００７：ＹＥＳ）。
【０１３６】
その後、ジョブ要求部２８０４が、携帯端末装置１１０とのＩＰ接続を確立して、ジョブを要求する（Ｓ３００８）。コマンドＦＡＸの送信元のファクシミリ番号が端末情報テーブル２９００に登録されていない場合には（Ｓ３００２：ＮＯ）、当該ファクシミリ番号に対応する公開鍵もまた端末情報テーブル２９００に登録されておらず、トライアル認証を行うことができないので、画像形成装置１００と携帯端末装置１１０とのＩＰ接続の要求を拒否する（Ｓ３００９）。また、トライアル認証に失敗した場合も、トライアル応答の送信元は予め登録された携帯端末装置１１０に該当しない不正な装置である恐れがあると判断されるので、ＩＰ接続を拒否する（Ｓ３００９）。従って、ジョブの要求も実行も行われない。
【０１３７】
図３１に示すように、携帯端末装置１１０は、トライアル認証に関連して、コマンドＦＡＸ送信３１０１、トライアル文字列受信部３１０２およびトライアル応答送信部３１０３等を備えている。コマンドＦＡＸ送信部３１０１は、画像形成装置１００へコマンドＦＡＸをファクシミリ送信する。トライアル文字列受信部３１０２は、トライアル文字列を画像形成装置１００からファクシミリ受信する。
【０１３８】
トライアル応答送信部３１０３は、トライアル応答を画像形成装置１００へファクシミリ送信する。この場合において、トライアル応答送信部３１０３は、トライアル文字列受信部３１０２が受信したトライアル文字列から、携帯端末装置１１０の秘密鍵を用いて復号化し、得られたオリジナル文字列を画像形成装置１００の公開鍵を用いて暗号化することによってトライアル応答を生成する。
【０１３９】
図３２に示すように、トライアル文字列受信部３１０２が受信したトライアル文字列３２１１は携帯端末装置１１０の公開鍵を用いて暗号化されているので、携帯端末装置の秘密鍵を用いなければ復号化することができない。従って、画像形成装置１００の端末情報テーブル２９００に予め公開鍵が登録されている携帯端末装置１１０以外の装置は、復号化によってオリジナル文字列３２１２を得ることができない。
【０１４０】
従って、上記のようにして、画像形成装置１００が携帯端末装置１１０の公開鍵を用いてトライアル応答３２０４からオリジナル文字列３２０５を復号化し、復号化によって得られたオリジナル文字列３２０５と、記憶しておいたオリジナル文字列３２０１とを照合すれば、コマンドＦＡＸの送信元が予め登録されている携帯端末装置１１０であるか否かを判定することができる。
【０１４１】
ジョブ要求受付部３１０４は、画像形成装置１００が確立したＩＰ接続を経由してジョブ要求を受け付ける。ジョブ送信部３１０５は、ジョブ要求受付部３１０４が受け付けたジョブ要求に応答して、画像形成装置１００へジョブを返信する。
【０１４２】
上述のような機能構成を備える携帯端末装置１１０は、図３３に示すように、まず、コマンドＦＡＸ送信部２８０１にてコマンドＦＡＸを送信する（Ｓ３３０１）。次に、トライアル文字列受信部３１０２は、画像形成装置１００からトライアル文字列を受信したら（Ｓ３３０２：ＹＥＳ）、トライアル応答送信部３１０３は、携帯端末装置１１０の秘密鍵を用いてトライアル文字列からオリジナル文字列を復号化し、更に、画像形成装置１００の公開鍵を用いてオリジナル文字列から暗号化によってトライアル応答を生成し（Ｓ３３０３）、画像形成装置１００へファクシミリ送信する（Ｓ３３０４）。
【０１４３】
その後、ジョブ要求受付部３１０４にて画像形成装置１００からジョブ要求を受け付けたら（Ｓ３３０５：ＹＥＳ）、ジョブ送信部３１０５にて画像形成装置１００へジョブを送信する（Ｓ３３０６）。
【０１４４】
図３４は、画像形成装置１００と携帯端末装置１１０との間の上記のような手順を示すシーケンス図である。図３４に示すように、携帯端末装置１１０がコマンドＦＡＸを送信してから、画像形成装置１００がトライアル応答を受信するまでの手順は、ファクシミリ通信によって実行されるので、ＬＡＮ１０１への不正アクセスを招くことなく、画像形成装置１００と携帯端末装置１１０との間で通信を行うことができる。
【０１４５】
また、トライアル認証が成功した後は、携帯端末装置１１０が予め端末情報テーブル２９００に登録されている正当な装置であることが確認されているので、画像形成装置１００と携帯端末装置１１０との間のＩＰ接続を許可しても、ＬＡＮ１０１におけるセキュリティレベルが損なわれるおそれはない。
【０１４６】
なお、上述のようにコマンドＦＡＸの送信元が、そのファクシミリ番号に端末情報テーブル２９００において対応付けられている正当な暗号鍵を用いてトライアル文字列を復号化したか否かによって、画像形成装置１００と携帯端末装置１１０とのＩＰ接続の可否を判断するのに代えて、次のようにしてもよい。
【０１４７】
例えば、画像形成装置１００が、乱数などを用いて生成したトライアル文字列を３５０１携帯端末装置１１０へ送信するとともに、当該トライアル文字列３５０１に所定の変換処理を施した照合用文字列３５０２を生成する。携帯端末装置１１０は、画像形成装置１００からトライアル文字列を受信すると、当該トライアル文字列に画像形成装置１００と同じ変換処理を施してトライアル応答を生成し、当該トライアル応答を画像形成装置１００へ送信する。
【０１４８】
画像形成装置１００は、携帯端末装置１１０から受信したトライアル応答と照合用文字列とを照合して、これらが一致したらＩＰ接続を許可する。このようにすれば、トライアル文字列からトライアル応答を生成するための変換処理を実行することができない装置によるＬＡＮ１０１への不正なＩＰ接続を防止することができる。また、当該変換処理を実行することができる携帯端末装置１１０は正当なアクセス権限を有すると判断されるので、ＩＰ接続による画像形成装置１００へのアクセスを許可することができる。
（３−９）上記実施の形態においては、ジョブの種別に関わりなく、画像形成装置１００と携帯端末装置１１０との間で同じＩＰ接続を行う場合を例にとって説明したが、本発明がこれに限定されないのは言うまでもなく、これに代えて次のようにしてもよい。
【０１４９】
例えば、画像形成装置１００がＩＰ通信によってジョブを受け付けるポート番号がジョブの種別毎に異なっている場合には、コマンドＦＡＸのファクシミリ送受信時に、画像形成装置１００が処理可能なジョブの種別をＮＦＳ信号にて携帯端末装置１１０へ通知し、携帯端末装置１１０が処理を要求する予定のジョブの種別をＮＳＣ信号にて画像形成装置１００に通知してもよい。
【０１５０】
このようにすれば、画像形成装置１００が、ジョブの種別に応じたポート番号を指定して、ファイアウォール１０２に接続情報を要求することができる。また、画像形成装置１００が自らＩＰ接続を確立する際にも適切なポート番号を指定することができる。
【０１５１】
また、携帯端末装置１１０が画像形成装置１００に処理を要求する予定のジョブが画像形成ジョブである場合には、画像形成装置１００と携帯端末装置１１０との間のＩＰ接続が確立されるのを待たずに、ＮＳＣ信号によってジョブの種別が画像形成ジョブであることが判明したタイミングで、画像形成装置１００において記録シートにトナー像を熱定着するための定着装置を昇温させるウォームアップ処理を開始すれば、いわゆるＦＣＯＴ（First Copy Out Time）を短縮することができる。この機能は、例えば、遠隔地で取材した記事をオフィス１０５にいち早く送付して印刷出力したい場合などに特に有効である。
【０１５２】
また、コマンドＦＡＸの受信時に一律にウォームアップ処理を開始すればＦＣＯＴを短縮することができるものの、携帯端末装置１１０が処理を要求する予定のジョブが、画像形成装置１００に保存されている電子ファイルの読み出しジョブ等のように、ウォームアップ処理が不要なジョブである場合には不必要に多量の電力を消費してしまうおそれがある。これに対して、上述のようにすれば、かかる不要な電力消費を削減することができる。
【０１５３】
また、ジョブの種別に応じてＩＰ接続の可否を判定してもよい。例えば、携帯端末装置１１０からコマンドＦＡＸを送信する際に、携帯端末装置１１０のユーザーを識別する情報（ユーザー名やパスワード、生体認証情報など）を併せて画像形成装置１００へファクシミリ送信させて、画像形成装置１００に携帯端末装置１１０のユーザーのアクセス許可レベルを判定させ、アクセス許可レベルが低いユーザーに対しては、画像形成ジョブなどのように携帯端末装置１１０から画像形成装置１００へのみ情報が送信されるジョブのみを許可し、アクセス許可レベルが高いユーザーに対しては、電子ファイルの読み出しジョブなどのように画像形成装置１００から携帯端末装置１１０へ情報が送信されるジョブも許可してもよい。
【０１５４】
また、電子ファイルの読み出しジョブに関しては、電子ファイル毎や電子ファイルを格納しているフォルダー毎にアクセス許可レベルを設定してもよい。更に、ユーザー毎にアクセス許可レベルを判定するのに代えて、携帯端末装置１１０毎にアクセス許可レベルを判定してもよい。
（３−１０）上記実施の形態においては、携帯端末装置１１０が画像形成装置１００にジョブを送信するまでの処理について説明したが、これに加えて次のようにしてもよい。
【０１５５】
例えば、ユーザーの要求に従ってＨＤＤ３０４に電子ファイルを保存したり、当該電子ファイルを読み出したりすることができる画像形成装置１００が、携帯端末装置１１０から電子ファイルの保存または読み出しを要求するジョブを受信した場合、画像形成装置１００は携帯端末装置１１０からジョブを受信した後も携帯端末装置１１０とのＩＰ接続を維持したまま、当該ＩＰ接続を経由して携帯端末装置１１０との間で指定された電子ファイルを送受信し、当該送受信が完了した後で当該ＩＰ接続を切断してもよい。
【０１５６】
また、画像形成ジョブを受け付けた場合も、画像形成装置１００は携帯端末装置１１０との間のＩＰ接続を維持しておき、当該画像形成ジョブの実行が成功し、或いは紙切れや紙詰まり等によって失敗したら、当該ＩＰ接続を経由して携帯端末装置１１０に画像形成ジョブの実行結果を通知してもよい。このようにすれば、携帯端末装置１１０のユーザーは、紙切れや紙詰まりの場合にはその旨をオフィス１０５に連絡して同僚に対処を依頼することができる。また、画像形成ジョブが正常に完了した場合にも、携帯端末装置１１０のユーザーはオフィス１０５に在室している同僚に対し、電話や電子メール等を用いて、印刷物の受け取りを依頼することができる。
（３−１１）上記実施の形態においては特に言及しなかったが、ファイアウォール１０２が発行する接続情報の有効期限は、例えば、ファイアウォール１０２が接続情報を発行してからの経過時間で設定してもよく、携帯端末装置１１０が画像形成装置１００とのＩＰ接続を確立してからの経過時間で設定してもよい。当該経過時間は、分単位や時間単位、日単位であってもよい。また、携帯端末装置１１０または画像形成装置１００がＩＰ接続を切断する回数を規制してもよい。
【０１５７】
接続情報の有効期間内であれば所定回数だけ、或いは何回でも携帯端末装置１１０が画像形成装置１００にＩＰアクセスすることができれば、携帯端末装置１１０が画像形成装置１００にＩＰアクセスしようとするたびにコマンドＦＡＸのファクシミリ送信する手順を繰り返す必要がなくなるので、ジョブを実行させるためのユーザーの手間や待ち時間を低減して、ユーザーの利便性を向上させることができる。
（３−１２）上記実施の形態においては特に言及しなかったが、携帯端末装置１１０が画像形成装置１００にＩＰアクセスを要求する際には、携帯端末装置１１０のユーザーは専用のアプリケーションプログラムを起動してもよいし、例えば、プリンタードライバーの中でコマンドＦＡＸを送信する等の手順を自動的に実行してもよい。
【０１５８】
前記アプリケーションプログラムは、例えば、画像形成装置１００から接続情報を取得した後、ブラウザープログラムを用いて画像形成装置１００にアクセスさせることによって、画像形成装置１００を利用するためのＷｅｂページを表示させてもよい。このようにすれば、画像形成装置１００毎に実行することができるジョブや機能が異なっていても、携帯端末装置１１０側で画像形成装置１００の機種ごとに異なる処理を実行することなく、柔軟に画像形成装置１００の機能をユーザーに設定させ、利用させることができる。
（３−１３）携帯端末装置１１０から画像形成装置１００に画像形成ジョブを送信して印刷出力を行った場合、携帯端末装置１１０のユーザーは遠隔地にいるため、出力された印刷物を直ちに回収することができない。このため、印刷物が、排紙トレイ２０５上に放置され、紛失したり汚損されたりする恐れがある。
【０１５９】
このような問題に対して、携帯端末装置１１０のユーザーによる指示に応じて、コマンドＦＡＸにおいて印刷物の回収を促す処理の要否を指定してもよい。
画像形成装置１００は、コマンドＦＡＸにおいて印刷物の回収を促す処理を要求されると、当該印刷物が遠隔地からのジョブ送信によって出力されたものである旨を表示すると共に、当該印刷出力を要求したユーザーを識別するための情報（当該ユーザーの氏名や所属部署など）、当該印刷物の回収のし方（当該ユーザーの机上や当該ユーザーが指定した者の机上、当該ユーザーが指定した場所へ当該印刷物を移動させる等）を印刷した回収指示書を当該印刷物の出力に先立って印刷出力し、或いはこの印刷出力に併せて、当該印刷物の回収を促すブザー音を発生さたり、ランプを点滅させたりしてもよい。
【０１６０】
また、回収指示書に代えて回収指示情報を操作パネルに表示してもよい。また、当該回収を促す処理の内容は携帯端末装置１１０のユーザーが指定してもよいし、画像形成装置１００に予め設定されていてもよい。
（３−１４）画像形成装置１００の使用頻度が高い場合には、オフィス１０５に複数の画像形成装置１００が設置されることが多く、かかるオフィス１０５においてはユーザーがどの画像形成装置１００を用いて印刷出力するかを選択する手間を省くために、図３６に示すように、プリントサーバー３６０１を設置すると便利である。プリントサーバー３６０１は、ユーザーから画像形成ジョブを受け付けると、画像形成装置１００毎の稼働状況などに応じて適切な画像形成装置１００に当該画像形成ジョブを実行させる。
【０１６１】
このようなオフィス１０５に設置された画像形成装置１００を遠隔地から利用するためには、例えば、次のようにすればよい。
【０１６２】
ＬＡＮ１０１に接続されている複数の画像形成装置１００のうちの何れかがプリントサーバー３６０１を兼ねている場合には、プリントサーバー３６０１を兼ねている画像形成装置１００に携帯端末装置１１０がＩＰ接続によって画像形成ジョブを送信し、当該画像形成ジョブを受信したプリントサーバー３６０１が画像形成ジョブを適当な画像形成装置１００に実行させてもよい。
【０１６３】
また、画像形成装置１００とは別個にプリントサーバー３６０１が設けられている場合には、一旦、何れかの画像形成装置１００にコマンドＦＡＸを送信した後、携帯端末装置１１０がプリントサーバー３６０１にＩＰアクセスするための接続情報をファイアウォール１０２から取得して、当該接続情報を携帯端末装置１１０へ送信してもよい。このようにすれば、携帯端末装置１１０がプリントサーバー３６０１とのＩＰ接続を確立して、当該ＩＰ接続を経由してプリントサーバー３６０１へ画像形成ジョブを送信することができる。
【０１６４】
或いは、携帯端末装置１１０からコマンドＦＡＸを受信した画像形成装置１００が、携帯端末装置１１０にＩＰアクセスするための接続情報（ＩＰアドレス等）をプリントサーバー３６０１に通知して、プリントサーバー３６０１から携帯端末装置１１０へ画像形成ジョブの要求を送信してもよい。このようにすれば、プリントサーバー３６０１が携帯端末装置１１０から直接、画像形成ジョブを取得して、適当な画像形成装置１００に当該画像形成ジョブを実行させることができる。
【０１６５】
なお、画像形成ジョブ以外のジョブについても、一旦、プリントサーバー３６０１にジョブを送信した後、当該ジョブを受信したプリントサーバー３６０１が当該ジョブを実行すべき画像形成装置１００を選択しもよい。例えば、電子ファイルの読み出しジョブである場合には、プリントサーバー３６０１が画像形成装置１００に保存されている電子ファイルを検索する等によって当該電子ファイルの所在を確認し、当該電子ファイルを保存しているか画像形成装置１００に当該ジョブを実行させてもよい。
（３−１５）上記実施の形態においては、携帯端末装置１１０を用いて画像形成装置１００にジョブを実行させる場合を例にとって説明したが、本発明がこれに限定されないのは言うまでもなく、これに代えて次のようにしてもよい。
【０１６６】
例えば、携帯端末装置１１０のユーザーがＬＡＮ１０１に接続されている自己のパーソナルコンピューター１０４にＩＰアクセスしたい場合には、まず携帯端末装置１１０から画像形成装置１１０へコマンドＦＡＸをファクシミリ送信し、当該コマンドＦＡＸにおいてＩＰアクセス先としてパーソナルコンピューター１０４を指定する。
【０１６７】
当該コマンドＦＡＸをファクシミリ受信した画像形成装置１００は、携帯端末装置１１０がパーソナルコンピューター１０４にアクセスするための接続情報をファイアウォール１０２から取得して、当該接続情報を携帯端末装置１１０へファクシミリ送信する。当該接続情報をファクシミリ受信した携帯端末装置１１０は、当該接続情報を用いてパーソナルコンピューター１０４とのＩＰ接続を確立する。このようにすれば、携帯端末装置１１０のユーザーは遠隔地から自己のパーソナルコンピューター１０４にアクセスすることができる。
【０１６８】
言うまでもなく、パーソナルコンピューター１０４に携帯端末装置１１０とのＩＰ接続を確立させることもできる。この場合には、画像形成装置１００は、携帯端末装置１１０にアクセスするための接続情報（携帯端末装置１１０のＩＰアドレス等）をパーソナルコンピューター１０４に通知する。当該通知を受けたパーソナルコンピューター１０４は、当該接続情報を用いて携帯端末装置１１０とのＩＰ接続を確立する。このようにしても、携帯端末装置１１０のユーザーは遠隔地から自己のパーソナルコンピューター１０４にアクセスすることができる。
【０１６９】
なお、画像形成装置１００やプリントサーバー３６０１、パーソナルコンピューター１０４以外の装置であっても、ＬＡＮ１０１に接続されている装置であれば、同様の手順によって携帯端末装置１１０とのＩＰ接続を確立することができる。
（３−１６）上記実施の形態においては、携帯端末装置１１０が無線通信によってインターネット１２０や電話網１３０に接続する場合を例にとって説明したが、本発明がこれに限定されないのは言うまでもなく、インターネット１２０と電話網１３０の一方または両方に対して有線通信によって接続してもよいことは言うまでもない。また、上記の変形例においては、画像形成装置１００が通話回線（電話網１３０）経由で携帯端末装置１１０から音声データを取得するのに代えて、ＶｏＩＰ回線を用いてインターネット経由で、画像形成装置１００が携帯端末装置１１０から音声データを取得してもよい。
（３−１７）上記実施の形態においては、携帯端末装置１１０が画像形成装置１００に送信するジョブが画像形成ジョブや電子ファイルの読み出しジョブである場合を例にとって説明したが、本発明がこれに限定されないのは言うまでもなく、これに代えて、或いはこれに加えて以下のようにしてもよい。
【０１７０】
例えば、画像形成装置１００の保守管理を目的として、画像形成装置１００の累積印刷枚数やトナー残量、画像形成装置１００の故障状態およびＨＤＤ３０４の空き容量などの情報を取得して、携帯端末装置１１０に通知するジョブであってもよい。
【０１７１】
このようにすれば、画像形成装置１００の保守作業員がオフィス１０５を訪問することなく、画像形成装置１００の動作状態を監視することができるので、例えば、保守作業員がオフィス１０５を訪問した際に、オフィス１０５が無人である等の理由によって入室できない場合であっても、当該保守作業員がオフィス１０５を再訪する必要が無いので、作業効率を向上させることができる。また、人的労力を必要とすることなく、コンピューターを用いて画像形成装置１００の自動監視を行うことも可能である。
（３−１８）本発明は、画像形成装置に限られず、例えば、ファクシミリ通信とＩＰ通信との両方を行うことができる装置が、ファクシミリ通信によってＩＰ接続要求を受け付けて、当該ＩＰ接続を確立する方法であるとしてもよい。さらに、その方法をコンピューターが実行するプログラムであるとしてもよい。
【０１７２】
また、本発明に係るプログラムは、例えば磁気テープ、フレキシブルディスク等の磁気ディスク、ＤＶＤ−ＲＯＭ、ＤＶＤ−ＲＡＭ、ＣＤ−ＲＯＭ、ＣＤ−Ｒ、ＭＯ、ＰＤなどの光記録媒体、フラッシュメモリ系記録媒体等、コンピューター読み取り可能な各種記録媒体に記録することが可能であり、当該記録媒体の形態で生産、譲渡等がなされる場合もあるし、プログラムの形態でインターネットを含む有線、無線の各種ネットワーク、放送、電気通信回線、衛星通信等を介して伝送、供給される場合もある。
（３−１９）上記実施の形態においては特に言及しなかったが、画像形成装置１００はモノクロ複合機であってもよいし、カラー複合機であってもよい。また、カラー複合機である場合にはいわゆるタンデム方式を採用してもよいし、タンデム方式以外の方式であってもよい。いずれの画像形成装置１００についても本発明を適用して、その効果を得ることができる。
【産業上の利用可能性】
【０１７３】
本発明に係る画像形成装置および画像形成システムは、画像形成装置が接続されているＬＡＮのセキュリティレベルの低下を招くことなく、外部のネットワークからファイアウォールを経由して画像形成装置にアクセスするための手間を軽減ことができる装置として有用である。
【符号の説明】
【０１７４】
１………画像形成システム
１００…画像形成装置
１０１…ＬＡＮ
１０２…ファイアウォール
１０３…構内交換機
１１０…携帯端末装置
１２０…インターネット
１２１…無線ＬＡＮ親機
１３０…電話網
１３１…無線基地局
【図１】
2020005050.tif 000003
【図２】
2020005050.tif 000004
【図３】
2020005050.tif 000005
【図４】
2020005050.tif 000006
【図５】
2020005050.tif 000007
【図６】
2020005050.tif 000008
【図７】
2020005050.tif 000009
【図８】
2020005050.tif 000010
【図９】
2020005050.tif 000011
【図１０】
2020005050.tif 000012
【図１１】
2020005050.tif 000013
【図１２】
2020005050.tif 000014
【図１３】
2020005050.tif 000015
【図１４】
2020005050.tif 000016
【図１５】
2020005050.tif 000017
【図１６】
2020005050.tif 000018
【図１７】
2020005050.tif 000019
【図１８】
2020005050.tif 000020
【図１９】
2020005050.tif 000021
【図２０】
2020005050.tif 000022
【図２１】
2020005050.tif 000023
【図２２】
2020005050.tif 000024
【図２３】
2020005050.tif 000025
【図２４】
2020005050.tif 000026
【図２５】
2020005050.tif 000027
【図２６】
2020005050.tif 000028
【図２７】
2020005050.tif 000029
【図２８】
2020005050.tif 000030
【図２９】
2020005050.tif 000031
【図３０】
2020005050.tif 000032
【図３１】
2020005050.tif 000033
【図３２】
2020005050.tif 000034
【図３３】
2020005050.tif 000035
【図３４】
2020005050.tif 000036
【図３５】
2020005050.tif 000037
【図３６】
2020005050.tif 000038